(57)【要約】【課題】従来の電気ストーブでは、ガード部材が高温となって、ユーザがガード部材に触れると火傷するおそれがある。【解決手段】この電気ストーブ１は、ヒータ４と、ヒータ４の後方に配置され、ヒータ４から放射される熱を前方に反射する反射板５と、内部に熱媒体が封入された配管部材７により構成されるガード部材６とを有する。このガード部材６は、反射板５よりも前方側の領域に配置される吸熱部８と、反射板５よりも後方側の領域に配置される放熱部９とを有している。そして、熱媒体が吸熱部８と放熱部９との間を移動する。【選択図】図１
2016090069.tif 000002
【特許請求の範囲】
【請求項１】
ヒータと、
前記ヒータの後方に配置され、当該ヒータから放射される熱を前方に反射する反射板と、
内部に熱媒体が封入された配管部材により構成されるガード部材とを備え、
前記ガード部材は、
前記反射板よりも前方側の領域に配置される吸熱部と、
前記反射板よりも後方側の領域に配置される放熱部とを有しており、
前記熱媒体が前記吸熱部と前記放熱部との間を移動することを特徴とする電気ストーブ。
【請求項２】
前記ガード部材は、
前記ヒータおよび前記反射板の周囲を取り囲むように環状に接続されるとともに、水平面に対して傾斜するように配置されることを特徴とする請求項１に記載の電気ストーブ。
【請求項３】
前記放熱部が前記吸熱部よりも長いことを特徴とする請求項２に記載の電気ストーブ。
【請求項４】
前記放熱部の周囲に放熱フィンが配置されることを特徴とする請求項２または３に記載の電気ストーブ。
【請求項５】
前記ガード部材は、
環状に接続された環状部分から分岐するように突出した空気溜まり部を有することを特徴とする請求項２−４のいずれかに記載の電気ストーブ。
【請求項６】
前記放熱部よりも後方に配置され、前記放熱部に対向する背面板を有しており、
前記背面板に放熱用の開口が形成されることを特徴とする請求項２−５のいずれかに記載の電気ストーブ。
【請求項７】
前記開口が、前記背面板の幅方向に延在し且つ前記背面板に対して交差するように配置された第１平板と、前記第１平板と対向し且つ前記第１平板と離れた位置に配置された第２平板との間に形成されており、
前記第１平板および前記第２平板が、後方に向かうにつれて上方に傾斜していることを特徴とする請求項６に記載の電気ストーブ。
【発明の詳細な説明】
【技術分野】
【０００１】
本発明は、ヒータを有する電気ストーブに関する。
【背景技術】
【０００２】
従来の電気ストーブとしては、ヒータと、ヒータの後方に配置され、ヒータから放射される熱を前方に反射する反射板と、ヒータの前方を覆うように配置されたガード部材とを備えたものがある。
【先行技術文献】
【特許文献】
【０００３】
【特許文献１】実開平６−２２８１８号公報
【発明の概要】
【発明が解決しようとする課題】
【０００４】
上記のような電気ストーブでは、ユーザがヒータに直接触れるのを防止するために、ガード部材がヒータの前方を覆うように配置されるが、ガード部材が高温となって、ユーザがガード部材に触れると火傷するおそれがある。
【０００５】
そこで、本発明の目的は、ガード部材が高温となるのを防止できる電気ストーブを提供することである。
【０００６】
第１の発明にかかる電気ストーブは、ヒータと、前記ヒータの後方に配置され、当該ヒータから放射される熱を前方に反射する反射板と、内部に熱媒体が封入された配管部材により構成されるガード部材とを備え、前記ガード部材は、前記反射板よりも前方側の領域に配置される吸熱部と、前記反射板よりも後方側の領域に配置される放熱部とを有しており、前記熱媒体が前記吸熱部と前記放熱部との間を移動することを特徴とする。
【０００７】
この電気ストーブでは、ガード部材の放熱部において冷やされた熱媒体がガード部材の吸熱部に移動することによって、ガード部材の吸熱部が冷やされるので、ガード部材が高温となるのを防止できる。
【０００８】
第２の発明にかかる電気ストーブは、第１の発明にかかる電気ストーブにおいて、前記ガード部材は、前記ヒータおよび前記反射板の周囲を取り囲むように環状に接続されるとともに、水平面に対して傾斜するように配置されることを特徴とする。
【０００９】
この電気ストーブでは、ガード部材の内部において熱媒体が自然対流するので、熱媒体を吸熱部と放熱部との間で移動させやすい。
【００１０】
第３の発明にかかる電気ストーブは、第２の発明にかかる電気ストーブにおいて、前記放熱部が前記吸熱部よりも長いことを特徴とする。
【００１１】
この電気ストーブでは、放熱部が吸熱部よりも長いので、放熱部において放熱しやすく、かつ吸熱部において熱媒体が高温となるのを防止できる。
【００１２】
第４の発明にかかる電気ストーブは、第２または第３の発明にかかる電気ストーブにおいて、前記放熱部の周囲に放熱フィンが配置されることを特徴とする。
【００１３】
この電気ストーブでは、放熱部の周囲に放熱フィンが配置されるので、放熱部において放熱しやすい。
【００１４】
第５の発明にかかる電気ストーブは、第２−第４のいずれかの発明にかかる電気ストーブにおいて、前記ガード部材は、環状に接続された環状部分から分岐するように突出した空気溜まり部を有することを特徴とする。
【００１５】
この電気ストーブでは、ガード部材の内部の空気を空気溜まり部に逃がして滞留させることができるので、空気の逃げ場がなくなってガード部材が破損するのを防止できる。
【００１６】
第６の発明にかかる電気ストーブは、第２−第５のいずれかの発明にかかる電気ストーブにおいて、前記放熱部よりも後方に配置され、前記放熱部に対向する背面板を有しており、前記背面板に放熱用の開口が形成されることを特徴とする。
【００１７】
この電気ストーブでは、背面板に放熱用の開口が形成されるので、放熱部で放熱された熱を暖房に利用できる。
【００１８】
第７の発明にかかる電気ストーブは、第６の発明にかかる電気ストーブにおいて、前記開口が、前記背面板の幅方向に延在し且つ前記背面板に対して交差するように配置された第１平板と、前記第１平板と対向し且つ前記第１平板と離れた位置に配置された第２平板との間に形成されており、前記第１平板および前記第２平板が、後方に向かうにつれて上方に傾斜していることを特徴とする。
【００１９】
この電気ストーブでは、放熱部で放熱された熱が背面板から室内に移動しやすい。
【発明の効果】
【００２０】
以上の説明に述べたように、本発明によれば、以下の効果が得られる。
【００２１】
第１の発明では、ガード部材の放熱部において冷やされた熱媒体がガード部材の吸熱部に移動することによって、ガード部材の吸熱部が冷やされるので、ガード部材が高温となるのを防止できる。
【００２２】
第２の発明では、ガード部材の内部において熱媒体が自然対流するので、熱媒体を吸熱部と放熱部との間で移動させやすい。
【００２３】
第３の発明では、放熱部が吸熱部よりも長いので、放熱部において放熱しやすく、かつ吸熱部において熱媒体が高温となるのを防止できる。
【００２４】
第４の発明では、放熱部の周囲に放熱フィンが配置されるので、放熱部において放熱しやすい。
【００２５】
第５の発明では、ガード部材の内部の空気を空気溜まり部に逃がして滞留させることができるので、空気の逃げ場がなくなってガード部材が破損するのを防止できる。
【００２６】
第６の発明では、背面板に放熱用の開口が形成されるので、放熱部で放熱された熱を暖房に利用できる。
【００２７】
第７の発明では、放熱部で放熱された熱が背面板から室内に移動しやすい。
【図面の簡単な説明】
【００２８】
【図１】本発明の第１実施形態にかかる電気ストーブを正面上方から見たときの図である。
【図２】図１に示す電気ストーブの水平断面図である。
【図３】図１に示す電気ストーブの正面図である。
【図４】図１に示すガード部材単体の斜視図である。
【図５】本発明の第２実施形態にかかる電気ストーブを正面上方から見たときの図である。
【図６】図５に示す電気ストーブを側方から見たときの図である。
【図７】本発明の第３実施形態にかかる電気ストーブを正面上方から見たときの図である。
【図８】図７に示す電気ストーブを側方から見たときの図である。
【図９】図７に示すガード部材単体の側面図である。
【発明を実施するための形態】
【００２９】
以下、図面を参照しつつ、本発明の実施形態について説明する。
【００３０】
［第１実施形態］
本実施形態の電気ストーブ１は、図１−図４に示すように、ケーシング２、基台３、ヒータ４、反射板５、ガード部材６などを有している。
【００３１】
ケーシング２は、上下方向に沿って延びており、前面に略長方形上の開口を有している。ケーシング２の下方には、基台３が配置されている。また、図１では図示を省略しているが、ケーシング２の上方には、天板が配置されており、ケーシング２の上方が塞がれている。
【００３２】
ヒータ４（発熱体）は、棒状に形成されたシーズヒータである。このヒータ４は、ケーシング２内においてケーシング２の長手方向と平行に延びている。すなわち、上下方向に沿って延びている。なお、ヒータ４は、シーズヒータで構成されている場合に限らず、石英管ヒータ、セラミックヒータ等でもよい。
【００３３】
反射板５は、ヒータ４の後方に配置され、ヒータ４から放射される熱を前方に反射する。この反射板５は、ケーシング２内においてケーシング２の長手方向と平行に延びている。すなわち、上下方向に沿って延びている。図２に示すように、反射板５は、ヒータ４の後方および左右両側方を覆うように湾曲している。
【００３４】
ガード部材６は、内部に熱媒体（例えば油）が封入された配管部材７により構成されており、ユーザがヒータ４に直接触れるのを防止する安全ガードの役割を果たしている。このガード部材６は、ケーシング２内において、ヒータ４および反射板５の周囲（この電気ストーブ１では、側周）を取り囲むように環状（この電気ストーブ１では、円環状）に接続されるとともに、水平面に対して傾斜するように配置される。このガード部材６は、反射板５よりも前方側の領域に配置され、ヒータ４から放射される熱が当たる吸熱部８と、反射板５よりも後方側の領域に配置され、ヒータ４から放射される熱が当たらない放熱部９とを有している。なお、図２に示すように、放熱部９は吸熱部８よりも長くされている。また、このガード部材６の表面は、例えばアルミなどでメッキされており、ヒータ４から放射される遠赤外線を反射する。
【００３５】
このガード部材６は、図３に示すように、水平面に対して傾斜した所定の平面上に配置される。この所定の平面は、水平面に対して傾斜するとともに、鉛直面に対しても傾斜している。図４に示すように、ガード部材６の吸熱部８は、一端８ａが他端８ｂよりも上方に配置される。この吸熱部８は、一端８ａから他端８ｂまでの全域において、他端８ｂから一端８ａに向かう方向が常に上方を向いている。また、ガード部材６の放熱部９は、吸熱部８の一端８ａに接続される一端９ａが吸熱部８の他端８ｂに接続される他端９ｂよりも上方に配置される。この放熱部９は、一端９ａから他端９ｂまでの全域において、一端９ａから他端９ｂに向かう方向が常に下方を向いている。
【００３６】
上記のように構成された電気ストーブ１では、吸熱部８内の熱媒体がヒータ４から放射される熱によって温められることにより、周りと比べて比重が軽くなって吸熱部８を上昇し、放熱部９内の熱媒体が室内空気によって冷やされることにより、周りと比べて比重が重くなって放熱部９を下降する自然対流が発生する。したがって、熱媒体が、図１、図２及び図４の矢印方向に繰り返し循環（移動）する。すなわち、熱媒体が、吸熱部８と放熱部９との間を移動する。そのため、放熱部９において冷やされた熱媒体が吸熱部８に移動することによって、吸熱部８が冷やされるので、ガード部材６が高温となることが防止される。
【００３７】
ここで、本発明において、「ガード部材が、ヒータおよび反射板の周囲を取り囲むように環状に接続されるとともに、水平面に対して傾斜するように配置される」とは、必ずしもこの電気ストーブ１のように、ガード部材６が、水平面に対して傾斜した所定の平面上に配置される必要はない。吸熱部においては、吸熱部の一端が他端よりも上方に配置され、吸熱部の一端から他端までの全域において、吸熱部の一端から他端に向かう方向が上方を向いていればよい。ただし、熱媒体が自然対流するのであれば、吸熱部の一端から他端までの一部に水平な部分があってもよい（例えば吸熱部の一端から他端までが階段状になっていてもよい）。また、放熱部においては、放熱部の一端が他端よりも上方に配置され、放熱部の一端から他端までの全域において、放熱部の一端から他端に向かう方向が下方を向いていればよい。ただし、熱媒体が自然対流するのであれば、放熱部の一端から他端までの一部に水平な部分があってもよい（例えば放熱部の一端から他端までが階段状になっていてもよい）。
【００３８】
また、電気ストーブ１の吸熱部８は、吸熱部８内での熱媒体の過度の温度上昇を防ぐために、吸熱部８の長さをできるだけ短くすることが好ましい。そのため、吸熱部８の長さが短くなるように、水平面と吸熱部８とが成す傾斜角が小さいことが好ましい。例えば水平面と吸熱部８とが成す傾斜角θは、０°＜θ＜４５°である。
【００３９】
＜本実施形態にかかる電気ストーブの特徴＞
本実施形態にかかる電気ストーブ１には、以下の特徴がある。
【００４０】
本実施形態の電気ストーブ１では、ガード部材６の放熱部９において冷やされた熱媒体がガード部材６の吸熱部８に移動することによって、ガード部材６の吸熱部８が冷やされるので、ガード部材６が高温となるのを防止できる。
【００４１】
また、本実施形態の電気ストーブ１では、ガード部材６の内部において熱媒体が自然対流するので、熱媒体を吸熱部８と放熱部９との間で移動させやすい。
【００４２】
また、本実施形態の電気ストーブ１では、放熱部９が吸熱部８よりも長いので、放熱部９において放熱しやすく、かつ吸熱部８において熱媒体が高温となるのを防止できる。
【００４３】
［第２実施形態］
次に、図５及び図６を参照して第２実施形態にかかる電気ストーブについて説明する。以下においては、上述の第１実施形態にかかる電気ストーブ１と異なる部分について主に説明し、同様の構成を有する部分についてはその説明を適宜省略する。なお、図面において、上述の第１実施形態と同様の構成を有するものについては同じ符号を付している。
【００４４】
ケーシング１２は、上下方向に沿って延びており、前面に略長方形上の開口を有している。ケーシング１２の下方には、基台３が配置されている。また、図５では図示を省略しているが、ケーシング１２の上方には、天板が配置されており、ケーシング１２の上方が塞がれている。図６に示すように、ケーシング１２の背面板１２ａは、後述するガード部材１６の放熱部１９よりも後方に配置され、この放熱部１９に対向している。
【００４５】
図５に示すように、ガード部材１６は、内部に熱媒体（例えば油）が封入された配管部材１７により構成されており、ユーザがヒータ４に直接触れるのを防止する安全ガードの役割を果たしている。このガード部材１６は、ケーシング１２内において、ヒータ４および反射板５の周囲（この電気ストーブでは、側周および上下）を取り囲むように環状に接続されるとともに、水平面に対して傾斜するように配置される（詳しくは、直交するように配置される）。このガード部材１６は、反射板５よりも前方側の領域に配置され、ヒータ４から放射される熱が当たる吸熱部１８と、反射板５よりも後方側の領域に配置され、ヒータ４から放射される熱が当たらない放熱部１９とを有している。なお、このガード部材１６の表面は、例えばアルミなどでメッキされており、ヒータ４から放射される遠赤外線を反射する。
【００４６】
このガード部材６は、図６に示すように、水平面に対して傾斜した所定の平面上に配置される。この所定の平面は、電気ストーブの前後方向に沿った平面である。図６に示すように、ガード部材１６の吸熱部１８は、一端１８ａが他端１８ｂよりも上方に配置される。一端１８ａはヒータ４の上方に配置され、他端１８ｂはヒータ４の下方に配置される。この吸熱部１８は、一端１８ａから他端１８ｂまでの一部に水平部分を有するが、略全域において、他端１８ｂから一端１８ａに向かう方向が上方を向いている。また、ガード部材１６の放熱部１９は、吸熱部１８の一端１８ａに接続される一端１９ａが吸熱部１８の他端１８ｂに接続される他端１９ｂよりも上方に配置される。一端１９ａはヒータ４の上方に配置され、他端１９ｂはヒータ４の下方に配置される。この放熱部１９は、一端１９ａから他端１９ｂまでの一部において水平部分を有するが、その他の部分は、一端１９ａから他端１９ｂに向かう方向が下方を向いている。
【００４７】
上記のように構成された電気ストーブでは、吸熱部１８内の熱媒体がヒータ４から放射される熱によって温められることにより、周りと比べて比重が軽くなって吸熱部１８を上昇し、放熱部１９内の熱媒体が室内空気によって冷やされることにより、周りと比べて比重が重くなって放熱部１９を下降する自然対流が発生する。したがって、熱媒体が、図６の矢印方向に繰り返し循環（移動）する。すなわち、熱媒体が、吸熱部１８と放熱部１９との間を移動する。そのため、放熱部１９において冷やされた熱媒体が吸熱部１８に移動することによって、吸熱部１８が冷やされるので、ガード部材１６が高温となることが防止される。
【００４８】
図６に示すように、放熱部１９は、湾曲するように形成される複数（１つでもよい）の湾曲部２０を有する。したがって、放熱部１９は吸熱部１８よりも長くされている。また、放熱部１９の周囲には、複数の放熱フィン２１が配置される。また、このガード部材１６は、環状に接続された環状部分から分岐するように突出した空気溜まり部２２を有する。この空気溜まり部２２は、放熱部１９から上方に突出するように形成されており、ガード部材１６の内部に閉じ込められた空気が滞留する。
【００４９】
図６に示すように、ケーシング１２の背面板１２ａには、放熱用の複数の開口２３が形成されている（なお、図６では、複数の開口２３のうちの１つにのみ符号を付している）。この開口２３は、背面板１２ａの幅方向に延在し且つ背面板１２ａに対して交差するように配置された第１平板２４と、第１平板２４と対向するように上下方向において離れて配置された第２平板２５との間に形成されている。この第１平板２４および第２平板２５は、同じ構成であり、上下方向において複数並んで配置されている（なお、図６では、複数の第１平板２４および第２平板２５のうちのそれぞれ１つにのみ符号を付している）。図６に示すように、第１平板２４および第２平板２５は、後方に向かうにつれて上方に傾斜している。この第１平板２４および第２平板２５は、例えばケーシングの背面板を加工して形成される。
【００５０】
＜本実施形態にかかる電気ストーブの特徴＞
本実施形態にかかる電気ストーブには、以下の特徴がある。
【００５１】
本実施形態の電気ストーブでは、ガード部材１６の放熱部１９において冷やされた熱媒体（例えば油）がガード部材１６の吸熱部１８に移動することによって、ガード部材１６の吸熱部１８が冷やされるので、ガード部材１６が高温となるのを防止できる。
【００５２】
また、本実施形態の電気ストーブでは、ガード部材１６の内部において熱媒体が自然対流するので、熱媒体を吸熱部１８と放熱部１９との間で移動させやすい。
【００５３】
また、本実施形態の電気ストーブでは、放熱部１９が吸熱部１８よりも長いので、放熱部１９において放熱しやすく、かつ吸熱部１８において熱媒体が高温となるのを防止できる。
【００５４】
また、本実施形態の電気ストーブでは、放熱部１９の周囲に放熱フィン２１が配置されるので、放熱部１９において放熱しやすい。
【００５５】
また、本実施形態の電気ストーブでは、ガード部材１６の内部の空気を空気溜まり部２２に逃がして滞留させることができるので、空気の逃げ場がなくなってガード部材１６が破損するのを防止できる。
【００５６】
また、本実施形態の電気ストーブでは、背面板１２ａに放熱用の開口２３が形成されるので、放熱部１９で放熱された熱を暖房に利用できる。
【００５７】
また、本実施形態の電気ストーブでは、第１平板２４および第２平板２５が後方に向かうにつれて上方に傾斜しているので、放熱部１９で放熱された熱が背面板１２ａから室内に移動しやすい。
【００５８】
［第３実施形態］
次に、図７−図９を参照して第３実施形態にかかる電気ストーブについて説明する。以下においては、上述の第１実施形態にかかる電気ストーブ１と異なる部分について主に説明し、同様の構成を有する部分についてはその説明を適宜省略する。なお、図面において、上述の第１実施形態と同様の構成を有するものについては同じ符号を付している。
【００５９】
ガード部材２６は、内部に熱媒体である冷媒が封入された配管部材２７により構成されたヒートパイプであり、ユーザがヒータ４に直接触れるのを防止する安全ガードの役割を果たしている。このガード部材２６は、ケーシング２内において、反射板５よりも前方側の前方側領域の全域を覆い、かつ反射板５よりも前方側の前方側領域と反射板５よりも後方側の後方側領域とにまたがって配置されている。したがって、ガード部材２６の端部２６ａ、２６ｂが、それぞれ反射板５よりも後方側の後方側領域にある。ガード部材２６のうち反射板５よりも前方側の前方側領域に配置される部分が吸熱部２８であり、反射板５よりも後方側の後方側領域に配置される部分が放熱部２９である。このガード部材２６の表面は、例えばアルミなどでメッキされており、ヒータ４から放射される遠赤外線を反射する。
【００６０】
このガード部材２６は、図７に示すように、ヒータ４および反射板５の前方側は略水平であり、図８に示すように、ヒータ４および反射板５の両側方側は後方に向かうにつれて上方に傾斜している。上記のように構成された電気ストーブでは、まず、吸熱部２８内の冷媒が、ヒータ４から放射される熱を奪って気化する。そして、気化した冷媒は、端部２６ａ、２６ｂ側（放熱部２９側）に移動して、放熱部２９で熱を放出して凝縮し、液化する。液化した冷媒は、重力によって吸熱部２８に戻る。すなわち、冷媒（熱媒体）が、吸熱部２８と放熱部２９との間を移動する。その結果、吸熱部２８で吸熱した冷媒（熱媒体）が放熱部２９で放熱し、放熱部２９において冷やされた冷媒（熱媒体）が吸熱部２８に移動することによって、吸熱部２８が冷やされるので、ガード部材２６が高温となることが防止される。
【００６１】
＜本実施形態にかかる電気ストーブの特徴＞
本実施形態にかかる電気ストーブには、以下の特徴がある。
【００６２】
本実施形態の電気ストーブでは、ガード部材２６の放熱部２９において冷やされた熱媒体（冷媒）がガード部材２６の吸熱部２８に移動することによって、ガード部材２６の吸熱部２８が冷やされるので、ガード部材２６が高温となるのを防止できる。
【００６３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６４】
上述の第１及び第２実施形態では、ガード部材が、ヒータ及び反射板の周囲を取り囲むように環状に接続されるとともに、水平面に対して傾斜するように配置される場合について説明したが、第３実施形態に示したように、ガード部材が、反射板よりも前方側の領域に配置される吸熱部と、反射板よりも後方側の領域に配置される放熱部とを有していれば、環状に接続されていなくてもよい。
【００６５】
また、上述の第１及び第２実施形態では、放熱部が吸熱部よりも長い場合について説明したが、放熱部と吸熱部とが略同じ長さであってもよいし、放熱部が吸熱部よりも短くてもよい。
【００６６】
また、上述の第２実施形態では、放熱部の周囲に放熱フィンが配置される場合について説明したが、配管部材の内側に溝を形成して、熱媒体と配管部材との接触面積を大きくしてもよい。
【００６７】
また、上述の第３実施形態では、液化した冷媒が重力で吸熱部に戻る場合について説明したが、配管部材の内側を毛細管構造（ウィック）にして、液化した冷媒を吸熱部に戻してもよい。
【産業上の利用可能性】
【００６８】
本発明を利用すれば、ガード部材が高温となるのを防止できる。
【符号の説明】
【００６９】
１  電気ストーブ
２、１２  ケーシング
４  ヒータ
５  反射板
６、１６、２６  ガード部材
７、１７、２７  配管部材
８、１８、２８  吸熱部
９、１９、２９  放熱部
１２ａ  背面板
２１  放熱フィン
２２  空気溜まり部
２３  開口
２４  第１平板
２５  第２平板
【図１】
2016090069.tif 000003
【図２】
2016090069.tif 000004
【図３】
2016090069.tif 000005
【図４】
2016090069.tif 000006
【図５】
2016090069.tif 000007
【図６】
2016090069.tif 000008
【図７】
2016090069.tif 000009
【図８】
2016090069.tif 000010
【図９】
2016090069.tif 000011